(57)【要約】【課題】液晶による光の反射および透過により画像を表示する表示媒体であって、既に反射状態の部分と透過状態の部分とが存在する表示媒体に対して画像を書き込む際、液晶に後述する第１電圧以上の電圧が印加されても反射状態の部分を維持しつつ、後述する第２電圧以上が印加された液晶については、状態を透過状態から反射状態に変更することを可能にする。【解決手段】赤色の光を反射するコレステリック液晶を有する表示層について部分的にコレステリック液晶の配向状態をプレーナ相にする場合には、表示層全体にＶ１の電圧を印加しつつ、プレーナ相にする部分に光を照射し、プレーナ相にする部分に掛かる電圧をＶ２にする。電圧の印加時間は、フォーカルコニック相からプレーナ相へ遷移させるのに必要な時間以上であり、プレーナ相からフォーカルコニック相へ遷移させるのに必要な時間未満とする。【選択図】図３
2011128275.tif 000002
【特許請求の範囲】
【請求項１】
予め定められた第１時間、第１電圧以上且つ第２電圧未満の電圧（第１電圧＜第２電圧）が印加されると光を透過する状態に変化し、予め定められた第２時間、前記第２電圧以上の電圧が印加された状態から、印加される電圧が予め決められた時間内に前記第１電圧より低い予め定められた電圧まで減少させられると光を反射する状態に変化する液晶を有する第１表示層と、前記第１表示層を挟んで位置して電圧が印加される一対の導電層と、前記一対の導電層の間に位置し、光が照射されると該光が照射された部分の抵抗が照射された光の強度に応じて低下する感光層と、を有する表示媒体に対して、
前記第２時間以上且つ前記第１時間未満の時間、前記感光層に光が照射されていない時に前記第２電圧未満の電圧が前記第１表示層に印加されるように前記一対の導電層に電圧を印加する電圧印加手段と、
前記第１表示層の前記液晶を反射状態にする領域に印加される電圧が前記第２電圧以上となるように、該領域に重なる前記感光層の部分に光を照射する光照射手段と、
を有する書込装置。
【請求項２】
前記表示媒体は、第３電圧以上且つ第４電圧未満の電圧（第１電圧＜第３電圧＜第２電圧、第２電圧＜第４電圧）が前記第１時間以上印加されると光を透過する状態に変化し、前記第４電圧以上の電圧が前記第２時間以上印加された状態から印加される電圧が予め決められた時間内に前記第３電圧より低い予め定められた電圧まで減少させられると光を反射する状態に変化する液晶を有する第２表示層を前記一対の導電層の間に有し、
前記電圧印加手段は、前記第２時間以上且つ前記第１時間未満の時間、前記感光層に光が照射されていない時に前記第２電圧未満の電圧が前記第１表示層と前記第２表示層に印加されるように前記一対の導電層に電圧を印加し、
前記光照射手段は、
前記第２表示層の前記液晶の状態を維持しつつ前記第１表示層の前記液晶を反射状態にする領域に印加される電圧が前記第２電圧以上且つ前記第４電圧未満の電圧となるように、該領域に重なる前記感光層の部分に光を照射し、
前記第１表示層の前記液晶と前記第２表示層の前記液晶の両方を反射状態にする領域に印加される電圧が前記第４電圧以上となるように、該領域に重なる前記感光層の部分に光を照射すること
を特徴とする請求項１に記載の書込装置。
【請求項３】
前記表示媒体は、第５電圧以上且つ第６電圧未満の電圧（第３電圧＜第５電圧＜第２電圧、第４電圧＜第６電圧）が前記第１時間以上印加されると光を透過する状態に変化し、前記第６電圧以上の電圧が前記第２時間以上印加された状態から印加される電圧が予め決められた時間内に前記第５電圧より低い予め定められた電圧まで減少させられると光を反射する状態に変化する液晶を有する第３表示層を一対の導電層の間に有し、
前記電圧印加手段は、前記第２時間以上且つ前記第１時間未満の時間、前記感光層に光が照射されていない時に前記第２電圧未満の電圧が前記第１表示層、前記第２表示層および前記第３表示層に印加されるように前記導電層に電圧を印加し、
前記光照射手段は、
前記第２表示層の前記液晶と前記第３表示層の前記液晶の状態を維持しつつ前記第１表示層の前記液晶を反射状態にする領域に印加される電圧が前記第２電圧以上且つ前記第４電圧未満の電圧となるように、該領域に重なる前記感光層の部分に光を照射し、
前記第３表示層の前記液晶の状態を維持しつつ前記第１表示層の前記液晶と前記第２表示層の前記液晶の両方を反射状態にする領域に印加される電圧が前記第４電圧以上且つ前記第６電圧未満の電圧となるように、該領域に重なる前記感光層の部分に光を照射し、
前記第１表示層の前記液晶、前記第２表示層の前記液晶および前記第３表示層の前記液晶を反射状態にする領域に印加される電圧が前記第６電圧以上となるように、該領域に重なる前記感光層の部分に光を照射すること
を特徴とする請求項２に記載の書込装置。
【請求項４】
前記電圧印加手段は、前記第１時間以上、前記感光層に光が照射されていない時に前記第１電圧未満の電圧が前記第１表示層に印加されるように前記一対の導電層に電圧を印加し、
前記光照射手段は、前記第１表示層の前記液晶を透過状態にする領域に印加される電圧が前記第１電圧以上且つ前記第２電圧未満となるように、該領域に重なる前記感光層の部分に光を照射すること
を特徴とする請求項１に記載の書込装置。
【請求項５】
前記電圧印加手段は、前記第１時間以上、前記感光層に光が照射されていない時に前記第１電圧未満の電圧が前記第１表示層と前記第２表示層に印加されるように前記一対の導電層に電圧を印加し、
前記光照射手段は、
前記第２表示層の前記液晶の状態を維持しつつ前記第１表示層の前記液晶を透過状態にする領域に印加される電圧が前記第１電圧以上且つ前記第３電圧未満となるように、該領域に重なる前記感光層の部分に光を照射し、
前記第１表示層の前記液晶と前記第２表示層の前記液晶を透過状態にする領域に印加される電圧が前記第３電圧以上且つ前記第２電圧未満となるように、該領域に重なる前記感光層の部分に光を照射すること
を特徴とする請求項２に記載の書込装置。
【請求項６】
前記電圧印加手段は、前記第１時間以上、前記感光層に光が照射されていない時に前記第１電圧未満の電圧が前記第１表示層、前記第２表示層および前記第３表示層に印加されるように前記導電層に電圧を印加し、
前記光照射手段は、
前記第２表示層の前記液晶と前記第３表示層の前記液晶の状態を維持しつつ前記第１表示層の前記液晶を透過状態にする領域に印加される電圧が前記第１電圧以上且つ前記第３電圧未満となるように、該領域に重なる前記感光層の部分に光を照射し、
前記第３表示層の前記液晶の状態を維持しつつ前記第１表示層の前記液晶と前記第２表示層の前記液晶を透過状態にする領域に印加される電圧が前記第３電圧以上且つ前記第５電圧未満となるように、該領域に重なる前記感光層の部分に光を照射し、
前記第１表示層の前記液晶、前記第２表示層の前記液晶および前記第３表示層の前記液晶を透過状態にする領域に印加される電圧が前記第５電圧以上且つ前記第２電圧未満となるように、該領域に重なる前記感光層の部分に光を照射すること
を特徴とする請求項３に記載の書込装置。
【発明の詳細な説明】
【技術分野】
【０００１】
本発明は、書込装置に関する。
【背景技術】
【０００２】
一対の電極の間にコレステリック液晶を有する表示層と光導電層とを有する表示媒体に画像を表示させる装置として、例えば特許文献１に開示された書き込み装置がある。この書き込み装置は、表示層全体にバイアス電圧を印加すると共に光導電層に光を照射することにより表示層に印加される電圧を制御してコレステリック液晶の配向状態を制御する。書き込み装置において光を照射する部分を制御することにより、表示層においてはコレステリック液晶が光を反射する部分と光を透過する部分とに分かれ、画像を表示させることができる。
【先行技術文献】
【特許文献】
【０００３】
【特許文献１】特開２０００−１１１９４２号公報
【発明の概要】
【発明が解決しようとする課題】
【０００４】
本発明は、液晶による光の反射および透過により画像を表示する表示媒体であって、既に反射状態の部分と透過状態の部分とが存在する表示媒体に対して画像を書き込む際、液晶に後述する第１電圧以上の電圧が印加されても反射状態の部分を維持しつつ、後述する第２電圧以上が印加された液晶については、状態を透過状態から反射状態に変更することを可能にすることを目的とする。
【課題を解決するための手段】
【０００５】
本発明の請求項１に係る書込装置は、予め定められた第１時間、第１電圧以上且つ第２電圧未満の電圧（第１電圧＜第２電圧）が印加されると光を透過する状態に変化し、予め定められた第２時間、前記第２電圧以上の電圧が印加された状態から、印加される電圧が予め決められた時間内に前記第１電圧より低い予め定められた電圧まで減少させられると光を反射する状態に変化する液晶を有する第１表示層と、前記第１表示層を挟んで位置して電圧が印加される一対の導電層と、前記一対の導電層の間に位置し、光が照射されると該光が照射された部分の抵抗が照射された光の強度に応じて低下する感光層と、を有する表示媒体に対して、前記第２時間以上且つ前記第１時間未満の時間、前記感光層に光が照射されていない時に前記第２電圧未満の電圧が前記第１表示層に印加されるように前記一対の導電層に電圧を印加する電圧印加手段と、前記第１表示層の前記液晶を反射状態にする領域に印加される電圧が前記第２電圧以上となるように、該領域に重なる前記感光層の部分に光を照射する光照射手段と、を有する。
【０００６】
本発明の請求項２に係る書込装置は、請求項１に記載の構成において、前記表示媒体は、第３電圧以上且つ第４電圧未満の電圧（第１電圧＜第３電圧＜第２電圧、第２電圧＜第４電圧）が前記第１時間以上印加されると光を透過する状態に変化し、前記第４電圧以上の電圧が前記第２時間以上印加された状態から印加される電圧が予め決められた時間内に前記第３電圧より低い予め定められた電圧まで減少させられると光を反射する状態に変化する液晶を有する第２表示層を前記一対の導電層の間に有し、前記電圧印加手段は、前記第２時間以上且つ前記第１時間未満の時間、前記感光層に光が照射されていない時に前記第２電圧未満の電圧が前記第１表示層と前記第２表示層に印加されるように前記一対の導電層に電圧を印加し、前記光照射手段は、前記第２表示層の前記液晶の状態を維持しつつ前記第１表示層の前記液晶を反射状態にする領域に印加される電圧が前記第２電圧以上且つ前記第４電圧未満の電圧となるように、該領域に重なる前記感光層の部分に光を照射し、前記第１表示層の前記液晶と前記第２表示層の前記液晶の両方を反射状態にする領域に印加される電圧が前記第４電圧以上となるように、該領域に重なる前記感光層の部分に光を照射する。
【０００７】
本発明の請求項３に係る書込装置は、請求項２に記載の構成において、前記表示媒体は、第５電圧以上且つ第６電圧未満の電圧（第３電圧＜第５電圧＜第２電圧、第４電圧＜第６電圧）が前記第１時間以上印加されると光を透過する状態に変化し、前記第６電圧以上の電圧が前記第２時間以上印加された状態から印加される電圧が予め決められた時間内に前記第５電圧より低い予め定められた電圧まで減少させられると光を反射する状態に変化する液晶を有する第３表示層を一対の導電層の間に有し、前記電圧印加手段は、前記第２時間以上且つ前記第１時間未満の時間、前記感光層に光が照射されていない時に前記第２電圧未満の電圧が前記第１表示層、前記第２表示層および前記第３表示層に印加されるように前記導電層に電圧を印加し、前記光照射手段は、前記第２表示層の前記液晶と前記第３表示層の前記液晶の状態を維持しつつ前記第１表示層の前記液晶を反射状態にする領域に印加される電圧が前記第２電圧以上且つ前記第４電圧未満の電圧となるように、該領域に重なる前記感光層の部分に光を照射し、前記第３表示層の前記液晶の状態を維持しつつ前記第１表示層の前記液晶と前記第２表示層の前記液晶の両方を反射状態にする領域に印加される電圧が前記第４電圧以上且つ前記第６電圧未満の電圧となるように、該領域に重なる前記感光層の部分に光を照射し、前記第１表示層の前記液晶、前記第２表示層の前記液晶および前記第３表示層の前記液晶を反射状態にする領域に印加される電圧が前記第６電圧以上となるように、該領域に重なる前記感光層の部分に光を照射する。
【０００８】
本発明の請求項４に係る書込装置は、請求項１に記載の構成において、前記電圧印加手段は、前記第１時間以上、前記感光層に光が照射されていない時に前記第１電圧未満の電圧が前記第１表示層に印加されるように前記一対の導電層に電圧を印加し、前記光照射手段は、前記第１表示層の前記液晶を透過状態にする領域に印加される電圧が前記第１電圧以上且つ前記第２電圧未満となるように、該領域に重なる前記感光層の部分に光を照射する。
【０００９】
本発明の請求項５に係る書込装置は、請求項２に記載の構成において、前記電圧印加手段は、前記第１時間以上、前記感光層に光が照射されていない時に前記第１電圧未満の電圧が前記第１表示層と前記第２表示層に印加されるように前記一対の導電層に電圧を印加し、前記光照射手段は、前記第２表示層の前記液晶の状態を維持しつつ前記第１表示層の前記液晶を透過状態にする領域に印加される電圧が前記第１電圧以上且つ前記第３電圧未満となるように、該領域に重なる前記感光層の部分に光を照射し、前記第１表示層の前記液晶と前記第２表示層の前記液晶を透過状態にする領域に印加される電圧が前記第３電圧以上且つ前記第２電圧未満となるように、該領域に重なる前記感光層の部分に光を照射する。
【００１０】
本発明の請求項６に係る書込装置は、請求項３に記載の構成において、前記電圧印加手段は、前記第１時間以上、前記感光層に光が照射されていない時に前記第１電圧未満の電圧が前記第１表示層、前記第２表示層および前記第３表示層に印加されるように前記導電層に電圧を印加し、前記光照射手段は、前記第２表示層の前記液晶と前記第３表示層の前記液晶の状態を維持しつつ前記第１表示層の前記液晶を透過状態にする領域に印加される電圧が前記第１電圧以上且つ前記第３電圧未満となるように、該領域に重なる前記感光層の部分に光を照射し、前記第３表示層の前記液晶の状態を維持しつつ前記第１表示層の前記液晶と前記第２表示層の前記液晶を透過状態にする領域に印加される電圧が前記第３電圧以上且つ前記第５電圧未満となるように、該領域に重なる前記感光層の部分に光を照射し、前記第１表示層の前記液晶、前記第２表示層の前記液晶および前記第３表示層の前記液晶を透過状態にする領域に印加される電圧が前記第５電圧以上且つ前記第２電圧未満となるように、該領域に重なる前記感光層の部分に光を照射する。
【発明の効果】
【００１１】
本発明の請求項１に係る発明によれば、液晶による光の反射および透過により画像を表示する表示媒体であって、既に反射状態の部分と透過状態の部分とが存在する表示媒体に対して画像を書き込む際、第１電圧以上の電圧が印加されても反射状態の部分を維持しつつ、第２電圧以上が印加された液晶については、状態を透過状態から反射状態に変更することができる。
請求項２に係る発明によれば、表示層が２つの表示媒体について、表示層の液晶の反射状態の部分を維持しつつ、部分的に液晶の状態を透過状態から反射状態に変更することができる。
請求項３に係る発明によれば、表示層が３つの表示媒体について、表示層の液晶の反射状態の部分を維持しつつ、部分的に液晶の状態を透過状態から反射状態に変更することができる。
請求項４に係る発明によれば、表示層が１つの表示媒体について、液晶の状態を部分的に反射状態から透過状態に変更することができる。
請求項５に係る発明によれば、表示層が２つの表示媒体について、一方の表示層の液晶または両方の表示層の液晶を部分的に反射状態から透過状態に変更することができる。
請求項６に係る発明によれば、表示層が３つの表示媒体について、部分的に１つの表示層の液晶を反射状態から透過状態に変更することと、部分的に２つの表示層の液晶を反射状態から透過状態に変更することと、部分的に３つの表示層の液晶を反射状態から透過状態に変更することができる。
【図面の簡単な説明】
【００１２】
【図１】本発明の一実施形態に係る書込装置と表示装置の外観図。
【図２】表示媒体２１の断面の模式図。
【図３】表示層全体に印加される電圧と表示層における光の正規化反射率との関係を示した図。
【図４】書込装置１のハードウェア構成を示したブロック図。
【図５】表示媒体２１に表示された画像を例示した図。
【図６】表示媒体２１に表示された画像を例示した図。
【図７】表示層に分圧される電圧とコレステリック液晶の配向状態の関係を示した図。
【図８】表示層に分圧される電圧とコレステリック液晶の配向状態の関係を示した図。
【図９】表示層に分圧される電圧とコレステリック液晶の配向状態の関係を示した図。
【図１０】表示層に分圧される電圧とコレステリック液晶の配向状態の関係を示した図。
【図１１】変形例に係る表示媒体２１の断面の模式図。
【図１２】表示層全体に印加される電圧と表示層における光の正規化反射率との関係を示した図。
【図１３】表示層全体に印加される電圧と表示層における光の正規化反射率との関係を示した図。
【発明を実施するための形態】
【００１３】
［実施形態］
（全体構成）
図１は、本発明の一実施形態に係る書込装置１と表示装置２の外観を示した図である。表示装置２は、照明器具の光や太陽光などの外光を反射して画像の表示を行う反射型の表示装置である。表示装置２は、コレステリック液晶を有する表示層と、光に反応して電荷を発生する有機光導電体を有する感光層と、表示層および感光層を挟んだ導電層が積層された表示媒体２１を備えている。表示装置２においては、導電層に電圧が印加されている状態で感光層に光が照射されると、光が照射された位置に応じて表示層のコレステリック液晶の配向状態が変化する。光の照射位置を制御することでコレステリック液晶が外光を透過する部分と外光を反射する部分とに分かれて画像が表示される。
【００１４】
書込装置１は、表示媒体２１に画像を書き込む装置である。書込装置１は、スロット１１を有している。スロット１１は、表示装置２が挿入されるスロットである。書込装置１は、スロット１１から内部に挿入された表示装置２に対して画像の書き込みを行う。ガラス板１１０は、透明なガラスの板である。書込装置１の使用者は、書込装置１の内部に挿入された表示装置２の表示媒体２１を、このガラス板１１０を介して見ることができる。また、書込装置１は、表示装置２の導電層と電気的に接続される端子と、表示装置２の感光層に光を照射する装置を備えている。書込装置１は、端子を介して表示装置２の導電層に電圧を印加しつつ表示装置２に対して光を照射し、表示装置２に画像を表示させる。
【００１５】
（表示装置２の構成）
図２は、表示装置２が有する表示媒体２１の断面を模式的に示した図である。表示媒体２１は、基板層、導電層、表示層、着色層、感光層及びラミネート層を積層した構成となっている。表示媒体２１は、基板層２０１Ａが配置されている側が、使用者が画像を視認する側（表示面側）となっている。また、基板層２０１Ｂが配置されている側が、書込装置１から出力された光が照射される側（被照射側）となっている。なお、表示装置２は、被照射側を下にしてスロット１１に挿入される。
【００１６】
基板層２０１Ａ、２０１Ｂは、画像を表示する部分の保護や形状の保持を行う層である。基板層２０１Ａ、２０１Ｂは表示装置２の表面に露出している。なお、本実施形態においては、各基板層は光を透過するポリエチレンテレフタレートで形成されているが、各基板層の素材は、ポリエチレンテレフタレートに限定されるものではなく、透明性及び絶縁性を有するのであれば他の素材であってもよい。
【００１７】
導電層２０２Ａ、２０２Ｂは、本実施形態においては、酸化インジウムスズで形成されている。導電層２０２Ａ、２０２Ｂは、透明で光を透過し、且つ導電性を有する層である。なお、各導電層は、透明で光を透過して導電性を有するのであれば、その素材は酸化インジウムスズに限定されず、他の素材であってもよい。導電層２０２Ａは、基板層２０１Ａの被照射側に接している。また、導電層２０２Ｂは基板層２０１Ｂの表示面側に接している。また、導電層２０２Ａには端子２０３Ａが接続されている。また、導電層２０２Ｂには端子２０３Ｂが接続されている。端子２０３Ａ、２０３Ｂは、書込装置１から電圧が印加される端子である。端子２０３Ａ、２０３Ｂは、表示装置２の表面に露出するように配置されている。
【００１８】
導電層２０２Ａの被照射側に接している表示層２０４Ｒと、表示層２０４Ｒの被照射側に接している表示層２０４Ｇは、コレステリック液晶や光を透過する樹脂など複数の材料からなる層である。各表示層は、樹脂の中にコレステリック液晶が分散した構成となっている。コレステリック液晶は、液晶分子がらせん状に捩れて配向しており、電場によって配向が変化し、特定の波長の光を反射する状態又は光を透過する状態に変化する。本実施形態においては、表示層２０４Ｇのコレステリック液晶は緑の光（波長が５００ｎｍ〜６００ｎｍの範囲内の光）を反射し、表示層２０４Ｒのコレステリック液晶は赤の光（波長が６００ｎｍ〜７００ｎｍの範囲内の光）を反射するように調整されている。なお、各表示層が反射する光は一例であり、上述のものに限定されるものではない。表示層毎に各々異なる予め定められた波長帯の光を反射するように、コレステリック液晶の材料を選択してもよい。また、各表示層に用いられている樹脂は、コレステリック液晶を保持し、液晶の流動（画像の変化）を抑制する機能を有するものであり、液晶材料に溶解せず、また液晶と相溶しない液体を溶剤とする高分子材料が用いられている。また、各表示層に用いられている樹脂は、外力に耐える強度をもち、光に対して透過性を示す。
【００１９】
導電層２０２Ｂの表示面側に接している感光層２０５は、本実施形態においては、電荷を発生する電荷発生層２０５１，２０５３と電荷を輸送する電荷輸送層２０５２を有している。感光層２０５は、電荷発生層２０５１、電荷輸送層２０５２、電荷発生層２０５３の順で積層された構造となっている。感光層２０５は、光が照射されると光が照射された部分の抵抗値が低下する。表示層と感光層を挟む導電層に印加される電圧は、表示層と感光層とに分圧されるが、感光層の抵抗値が低下した部分は分圧比が変化して表示層に掛かる電圧が増加する。
【００２０】
感光層２０５の表示面側に接して位置する着色層２０６は、光を吸収する層であり、無機顔料、または有機染料や有機顔料により着色されている。着色層２０６と表示層２０４Ｇの間との間にあるラミネート層２０７は、表示層を着色層に貼りあわせる際に、凹凸の吸収および接着の役割を果たす目的で設けられる層である。ラミネート層２０７は、ガラス転移点の低い高分子材料からなるものであり、熱や圧力によって表示層と感光層とを密着・接着させることができる材料が選択される。また、ラミネート層２０７は、少なくとも入射する光に対して透過性を有する。ラミネート層２０７に用いられる材料としては、粘着性の高分子材料（例えばウレタン樹脂、エポキシ樹脂、アクリル樹脂、シリコーン樹脂）を挙げることができる。
【００２１】
これらの各層が積層された表示媒体２１において、表示層にあるコレステリック液晶は、電圧が印加される前の初期状態がプレーナ相である場合には、印加される電圧の増加に伴ってプレーナ相、フォーカルコニック相、ホメオトロピック相の順番に変化する。
また、コレステリック液晶は、電圧が印加される前の初期状態がフォーカルコニック相である場合には、印加される電圧の増加に伴ってホメオトロピック相に変化する。コレステリック液晶は、フォーカルコニック相の状態である時に電圧の印加が停止されると、フォーカルコニック相の状態を維持する。また、コレステリック液晶は、ホメオトロピック相の状態である時に電圧の印加が停止されると、配向状態がホメオトロピック相からプレーナ相に変化し、プレーナ相の状態を維持する。
【００２２】
図３は、導電層と感光層を介して表示層全体に印加される電圧と表示層における光の正規化反射率との関係を示した図である。図３の曲線Ｇは、印加される電圧と表示層２０４Ｇにおける光の正規化反射率との関係を示したものである。また、図３の曲線Ｒは、印加される電圧と表示層２０４Ｒにおける光の正規化反射率との関係を示したものである。
【００２３】
表示層２０４Ｇのコレステリック液晶がプレーナ相からフォーカルコニック相へ変化する時の電圧の閾値をＶｇ１、フォーカルコニック相からホメオトロピック相へ変化する時の電圧の閾値をＶｇ２とすると、電圧の印加が停止される前に導電層と感光層とを介して印加されている電圧がＶｇ２以上の場合、コレステリック液晶は、電圧の印加が停止された後にプレーナ相となって外光中の緑の光を反射する。一方、電圧の印加が停止される前に導電層と感光層とを介して印加されている電圧がＶｇ１以上で且つＶｇ２未満の電圧である場合には、コレステリック液晶は、電圧の印加が停止された後にフォーカルコニック相となって外光が透過する。
【００２４】
また、表示層２０４Ｒのコレステリック液晶がプレーナ相からフォーカルコニック相へ変化する時の電圧の閾値をＶｒ１、フォーカルコニック相からホメオトロピック相へ変化する時の電圧の閾値をＶｒ２とすると、電圧の印加が停止される前に導電層と感光層とを介して印加されている電圧がＶｒ２以上の場合、コレステリック液晶は、電圧の印加が停止された後にプレーナ相となって外光中の赤色の光を反射する。一方、電圧の印加が停止される前に導電層と感光層とを介して印加されている電圧がＶｒ１以上で且つＶｒ２未満の電圧である場合には、コレステリック液晶は、電圧の印加が停止された後にフォーカルコニック相となって外光が透過する。
【００２５】
このように、各表示層のコレステリック液晶は、印加される電圧がプレーナ相からフォーカルコニック相へ変化する時の閾値の電圧（Ｖｒ１，Ｖｇ１；以下、下側電圧という）：表示層の反射率が１０％となる時の電圧）以上となると、フォーカルコニック相に変化する。また、各表示層のコレステリック液晶は、印加される電圧がフォーカルコニック相からホメオトロピック相へ変化する時の閾値の電圧（Ｖｒ２，Ｖｇ２；以下、上側電圧という）：表示層の反射率が９０％となる時の電圧）以上となるとホメオトロピック相に変化し、電圧の印加が停止されるとプレーナ相に変化する。
なお、本実施形態においては、表示層２０４Ｒの下側電圧は表示層２０４Ｇの下側電圧より低く、表示層２０４Ｒの上側電圧は表示層２０４Ｇの上側電圧より低いという関係がある。本明細書においては、下側電圧が低い方の表示層を第１表示層とし、下側電圧が高い方の表示層を第２表示層と称する。また、第１表示層の下側電圧を第１電圧と称し、第１表示層の上側電圧を第２電圧と称する。また、第２表示層の下側電圧を第３電圧と称し、第２表示層の上側電圧を第４電圧と称する。
【００２６】
コレステリック液晶の配向状態を遷移させるのに要する時間は、プレーナ相からフォーカルコニック相へ遷移させる場合と、フォーカルコニック相からホメオトロピック相へ遷移させる場合とで異なっている。本実施形態においては、コレステリック液晶の配向状態をプレーナ相からフォーカルコニック相へ遷移させる場合には、下側電圧と上側電圧の間の電圧を１００ｍｓ以上印加する必要がある。一方、コレステリック液晶の配向状態をフォーカルコニック相からホメオトロピック相へ遷移させる場合には、上側電圧以上の電圧を１０ｍｓ以上印加すれば配向状態が遷移する。なお、配向状態を遷移させるのに要する時間は、上述した時間に限定されるものではなく、コレステリック液晶の種類などによって他の時間となる。
【００２７】
（書込装置１の構成）
図４は、書込装置１のハードウェア構成を示したブロック図である。光出力部１０２は、光を表示媒体２１に照射する機能を有している。光出力部１０２は、制御部１０１によって制御され、表示媒体２１の被照射側から感光層２０５へ光を照射する。つまり、光出力部１０２は、各感光層へ光を照射する光照射手段の一例である。具体的には、光出力部１０２は、画素を複数有する透過型の液晶パネルと、光源として機能するバックライトを備えた液晶ディスプレイ装置を備えている。バックライトから出力された光は、液晶パネルを透過し、液晶パネルの上方に位置する表示媒体２１の被照射側に照射される。なお、液晶ディスプレイ装置は、制御部１０１により制御されて光を出力する画素が制御される。
【００２８】
制御部１０１は、ＣＰＵ（Central Processing Unit）、ＲＯＭ（Read Only Memory）、ＲＡＭ（Random Access Memory）、入力ポートおよび出力ポートなどを備えた、所謂マイクロコンピュータを有している。ＲＯＭには、各部を制御するための制御プログラムが記憶されている。制御部１０１は、ＣＰＵにより制御プログラムが実行されると、操作部１０６において行われた操作に応じて書込装置１の各部を制御する。また、制御部１０１において制御プログラムが実行されると、画像を表示媒体２１に追記する機能が実現する。
【００２９】
電圧印加部１０３は、端子２０３Ａに接続される端子と、端子２０３Ｂに接続される端子を備えている。また、電圧印加部１０３は、電圧発生器を備えている。電圧印加部１０３は、電圧発生器で発生した電圧を端子２０３Ａ、２０３Ｂを介して導電層２０２Ａ及び導電層２０２Ｂへ印加する。なお、電圧印加部１０３から導電層２０２Ａ、２０２Ｂへ印加される電圧は、制御部１０１によって制御される。
インターフェース部１０５は、パーソナルコンピュータなどのコンピュータ装置と通信を行うインターフェースとして機能する。インターフェース部１０５は、通信ケーブルでパーソナルコンピュータ装置と接続され、画像を表す画像データをパーソナルコンピュータ装置から受け取る。なお、パーソナルコンピュータ装置から受け取った画像データは、ＲＡＭに記憶される。
操作部１０６は、画像を表示する表示デバイス１０６Ａと、透明で表示デバイス１０６Ａの表面に配置されたタッチパネル１０６Ｂを備えている。表示デバイス１０６Ａは、例えば液晶ディスプレイ装置であり、表示デバイス１０６Ａには、使用者が書込装置１を操作するための画面などが表示される。また、タッチパネル１０６Ｂは、使用者が触れた位置を示す信号を制御部１０１へ出力する。
【００３０】
（実施形態の動作）
（表示媒体２１の全面への画像の書き込み）
まず使用者が、表示装置２を書込装置１のスロット１１へ挿入する。これにより、書込装置１の電圧印加部１０３と端子２０３Ａ、２０３Ｂが電気的に接続される。次に使用者が、ＲＡＭに記憶されている画像データの画像を表示媒体２１の全域へ書き込むように指示する操作を操作部１０６において行うと以下の処理が実行される。
【００３１】
制御部１０１は、画像データが表す画像が表示媒体２１において視認されるように光出力部１０２と電圧印加部１０３を制御する。具体的には、まず光出力部１０２が制御部１０１により制御され、表示媒体２１への光の照射が停止される。次に、電圧印加部１０３が制御部１０１に制御され、表示層２０４Ｒ全体と表示層２０４Ｇ全体に分圧される実効電圧をＶｒ２とＶｇ２との間の電圧（図３のＶ２）にする電圧が端子２０３Ａ、２０３Ｂに印加される。ここで、表示層２０４Ｒにおいては、コレステリック液晶の配向状態がホメオトロピック相となり、表示層２０４Ｇにおいては、コレステリック液晶の配向状態がフォーカルコニック相となる。
【００３２】
次に制御部１０１は、画像データの示す画像に応じて光出力部１０２を制御する。光出力部１０２が制御部１０１により制御され、使用者に緑色として視認させる部分と黄色として視認させる部分に光が照射される。光出力部１０２から出力された光は、感光層２０５に到達する。感光層２０５において光が到達した部分は、抵抗が低下する。表示媒体２１において感光層２０５で抵抗が低下した部分では、分圧比が変化して表示層に分圧される実効電圧がＶｇ２以上に増加する。表示層２０４Ｇにおいて印加される実効電圧が増加した部分では、コレステリック液晶の配向状態がホメオトロピック相となる。この後、電圧印加部１０３が制御部１０１により制御されて導電層への電圧の印加が停止される。また、光出力部１０２が制御部１０１により制御されて感光層２０５への光の照射が停止される。導電層への電圧の印加と感光層２０５への光の照射が停止されると、各表示層のコレステリック液晶は、ホメオトロピック相だった部分がプレーナ相に遷移する。
【００３３】
次に、電圧印加部１０３が制御部１０１により制御され、表示層２０４Ｒ全体と表示層２０４Ｇ全体に分圧される実効電圧をＶｒ１未満の電圧（図３のＶａ）にする電圧が端子２０３Ａ、２０３Ｂに印加される。ここで、表示層２０４Ｇと表示層２０４Ｒのコレステリック液晶は、表示層に分圧される実効電圧をＶ２にする電圧の印加が停止された時の配向状態を保つ。次に、光出力部１０２が、制御部１０１により制御され、使用者に黒色として視認させる部分と緑色として視認させる部分に光が照射される。光出力部１０２から出力された光は、感光層２０５に到達する。感光層２０５において光が到達した部分は、抵抗が低下する。表示媒体２１において感光層２０５で抵抗が低下した部分では、分圧比が変化して表示層に分圧される実効電圧がＶｒ１とＶｇ１との間の電圧（図３のＶｂ）に増加する。表示層２０４Ｒにおいて印加される実効電圧が増加した部分では、コレステリック液晶の配向状態がフォーカルコニック相になる。なお、表示層２０４Ｒにおいて印加される実効電圧が増加しない部分は、Ｖａの電圧が印加される前の配向状態を維持する。また、表示層２０４Ｇは、光の照射による実効電圧の変化にかかわらず、Ｖａの電圧が印加される前の配向状態を維持する。
【００３４】
ここで、図５は、上記動作によって表示媒体２１で視認される画像の一例である。表示層２０４Ｒと表示層２０４Ｇの両方がフォーカルコニック層となっている部分は、表示面側から入射した光が各表示層を透過して着色層２０６で吸収されるため、使用者が見ると黒色に見える（図５の領域Ａ１の部分）。また、表示層２０４Ｒと表示層２０４Ｇの両方がプレーナ相となっている部分は、表示面側から入射した赤色の光が表示層２０４Ｒで反射され、緑色の光が表示層２０４Ｇで反射されるため、使用者が見ると黄色に見える（図５の領域Ａ２の部分）。また、表示層２０４Ｒがプレーナ相であり、表示層２０４Ｇがフォーカルコニック相である部分は、表示面側から入射した赤色の光が表示層２０４Ｒで反射され、他の光が表示層２０４Ｇを透過するため、使用者が見ると赤色に見える（図５の領域Ａ３の部分）。また、表示層２０４Ｒがフォーカルコニック相であり、表示層２０４Ｇがプレーナ相である部分は、表示面側から入射した緑色の光が表示層２０４Ｇで反射され、他の光が表示層２０４Ｒを透過するため、使用者が見ると緑色に見える（図５の領域Ａ４の部分）。
【００３５】
次に使用者が、ＲＡＭに記憶されている画像データの画像を表示媒体２１の追記するように指示する操作を操作部１０６において行うと以下の処理が実行される。
【００３６】
（黒色の領域へ画像を追記する場合の動作）
図６（ａ）に示したように、黒色の領域Ａ１に黄色の領域Ａ１２、赤色の領域Ａ１３、緑色の領域Ａ１４を追記する場合について説明する。書込装置１は、表示媒体２１に画像を追記する場合、３つのステップでコレステリック液晶の配向状態を制御する。なお、図７は、黒色の領域へ画像を追記する場合に各ステップにおいて表示層の領域Ａ１１〜Ａ１４の部分に分圧される電圧と各ステップにおけるコレステリック液晶の配向状態を示した図である。まず、第１ステップでは、電圧印加部１０３が制御部１０１により制御され、表示層２０４Ｒ全体と表示層２０４Ｇ全体に分圧される実効電圧をＶａとする電圧が端子２０３Ａ、２０３Ｂへ印加される。次に、制御部１０１により光出力部１０２が制御される。ここで、領域Ａ１１〜Ａ１４に対して光が照射されないように光出力部１０２が制御される。領域Ａ１１〜Ａ１４には光が照射されないため、領域Ａ１１〜Ａ１４の表示層に分圧される電圧はＶａのままである。このため領域Ａ１１〜Ａ１４においては、各表示層のコレステリック液晶の配向状態は図７に示したように、いずれもフォーカルコニック相のままとなる。次に、電圧印加部１０３が制御部１０１により制御され、電圧の印加が停止される。
【００３７】
次に第２ステップでは、制御部１０１により光出力部１０２が制御され、領域Ａ１３に第１の光強度の光が照射される。また、制御部１０１により光出力部１０２が制御され、領域Ａ１４と領域Ａ１２に第１の光強度より大きな第２の光強度の光が照射される。なお、制御部１０１は、領域Ａ１１には光が照射されないように光出力部１０２を制御する。次に電圧印加部１０３が制御部１０１により制御され、表示層２０４Ｒ全体と表示層２０４Ｇ全体に分圧される実効電圧をＶｇ１とＶｒ２との間の電圧（図３のＶ１）にする電圧が端子２０３Ａ、２０３Ｂへ印加される。ここで、電圧の印加時間は、コレステリック液晶の配向状態をプレーナ相からフォーカルコニック相へ遷移させるのに要する時間（以下、第１時間という）より短く、フォーカルコニック相からホメオトロピック相へ遷移させるのに要する時間（以下、第２時間という）より長い時間にされる。
【００３８】
電圧印加部１０３から電圧が印加されると、表示媒体２１において第１の光強度の光が照射された領域Ａ１３は、表示層に分圧される電圧がＶｒ２とＶｇ２との間の電圧（図３のＶ２）となる。そして、この領域Ａ１３においては、表示層２０４Ｒのコレステリック液晶は、図７に示したように配向状態がホメオトロピック相に遷移し、表示層２０４Ｇのコレステリック液晶はフォーカルコニック相を維持する。また、表示媒体２１において第２の光強度の光が照射された領域Ａ１２と領域Ａ１４は、表示層に分圧される電圧がＶｇ２以上の電圧（図３のＶ３）となる。そして、この領域Ａ１２と領域Ａ１４の表示層２０４Ｒと表示層２０４Ｇにおいては、コレステリック液晶の配向状態がホメオトロピック相に遷移する。次に電圧印加部１０３が制御部１０１により制御されて導電層２０２Ａ、２０２Ｂへの電圧印加が停止される。また光出力部１０２が制御部１０１により制御されて表示媒体２１への光の照射が停止される。電圧の印加が停止されることにより、コレステリック液晶のホメオトロピック相の部分がプレーナ相となる。
【００３９】
なお、第２ステップにおいて電圧印加部１０３からの電圧の印加時間は、コレステリック液晶の配向状態をプレーナ相からフォーカルコニック相へ遷移させるのに必要な時間に達していない。このため、表示層２０４Ｒ全体と表示層２０４Ｇ全体に分圧される実効電圧をＶ１にする電圧が表示層全体に印加されても、表示媒体２１において電圧印加前に光が照射されてなくコレステリック液晶の配向状態がプレーナ相であった領域は、コレステリック液晶の配向状態がフォーカルコニック相に遷移することがない。
【００４０】
次に第３ステップでは、光出力部１０２が制御部１０１により制御され、領域Ａ１４に第１の光強度の光が照射される。なお、制御部１０１は、領域Ａ１１、領域Ａ１３および領域Ａ１４については、光が照射されないように光出力部１０２を制御する。
【００４１】
次に、電圧印加部１０３が制御部１０１により制御され、表示層２０４Ｒ全体と表示層２０４Ｇ全体に分圧される実効電圧をＶａにする電圧が端子２０３Ａ、２０３Ｂへ印加される。電圧印加部１０３から電圧が印加されると、表示媒体２１において光が照射されていない領域Ａ１１、領域Ａ１２および領域Ａ１３は、表示層に分圧される電圧がＶａのままとなり、図７に示したように、コレステリック液晶の配向状態は、電圧印加前のプレーナ相またはフォーカルコニック相の状態を維持する。また、表示媒体２１において第１の光強度の光が照射された領域Ａ１４は、表示層に分圧される電圧がＶｒ１とＶｇ１との間のＶｂとなる。そして、この領域の表示層２０４Ｒのコレステリック液晶は、フォーカルコニック相に遷移する。なお、ここで電圧が印加される時間は、第１時間より長い時間である。次に電圧印加部１０３が制御部１０１により制御されて導電層２０２Ａ、２０２Ｂへの電圧印加が停止される。また光出力部１０２が制御部１０１により制御されて表示媒体２１への光の照射が停止される。
【００４２】
第３ステップが終了すると、領域Ａ１１では、各表示層のコレステリック液晶の配向状態がフォーカルコニック相のままであるため、使用者に黒色として視認される。また、領域Ａ１２では、表示層２０４Ｒと表示層２０４Ｇのコレステリック液晶の配向状態が最終的にはプレーナ相にされるため、使用者に黄色として視認される。また、領域Ａ１３では、表示層２０４Ｒのコレステリック液晶の配向状態が最終的にはプレーナ相にされ、表示層２０４Ｇのコレステリック液晶の配向状態が最後までフォーカルコニック相を維持するため、使用者に赤色として視認される。また、領域Ａ１４では、表示層２０４Ｇのコレステリック液晶の配向状態が最終的にはフォーカルコニック相にされ、表示層２０４Ｒのコレステリック液晶の配向状態が最終的にはプレーナ相にされるため、使用者に緑色として視認される。
【００４３】
（黄色の領域へ画像の追記する場合の動作）
図６（ｂ）に示したように、黄色の領域Ａ２に黒色の領域Ａ２１、赤色の領域Ａ２３、緑色の領域Ａ２４を追記する場合について説明する。なお、図８は、黄色の領域へ画像を追記する際の３つのステップにおいて表示層の領域Ａ２１〜Ａ２４の部分に分圧される電圧と各ステップにおけるコレステリック液晶の配向状態を示した図である。まず、第１ステップでは、電圧印加部１０３が制御部１０１により制御され、表示層２０４Ｒ全体と表示層２０４Ｇ全体に分圧される実効電圧をＶａとする電圧が端子２０３Ａ、２０３Ｂへ印加される。次に、制御部１０１により光出力部１０２が制御されて領域Ａ２４に第１の光強度の光が照射される。また、制御部１０１により光出力部１０２が制御されて領域Ａ２１と領域Ａ２３には第１の光強度より大きい第２の光強度の光が照射される。なお、領域Ａ２２については光が照射されない。
【００４４】
ここで、領域Ａ２２については、表示層に分圧される電圧はＶａのままである。このため領域Ａ２２においては、各表示層のコレステリック液晶の配向状態は図８に示したように、いずれもプレーナ相のままとなる。また、領域Ａ２４については、表示層に分圧される電圧がＶｂとなり、表示層２０４Ｒのコレステリック液晶の配向状態がプレーナ相からフォーカルコニック相に遷移する。なお、領域Ａ２４においては、表示層に分圧される電圧がＶｂとなるため、表示層２０４Ｇのコレステリック液晶の配向状態は変化しない。また、領域Ａ２１と領域Ａ２３については、表示層に分圧される電圧がＶｃとなり、表示層２０４Ｒと表示層２０４Ｇのコレステリック液晶の配向状態がプレーナ相からフォーカルコニック相に遷移する。次に、電圧印加部１０３が制御部１０１により制御され、電圧の印加が停止される。また、光出力部１０２が制御部１０１により制御され、表示媒体２１への光の照射が停止される。
【００４５】
次に第２ステップでは、制御部１０１により光出力部１０２が制御され、領域Ａ２３に第１の光強度の光が照射される。なお、制御部１０１は、領域Ａ２１、領域Ａ２２および領域Ａ２４には光が照射されないように光出力部１０２を制御する。次に電圧印加部１０３が制御部１０１により制御され、表示層２０４Ｒ全体と表示層２０４Ｇ全体に分圧される実効電圧を図３のＶ１にする電圧が端子２０３Ａ、２０３Ｂへ印加される。ここで、電圧の印加時間は、第１時間より短く第２時間より長い時間にされる。
【００４６】
電圧印加部１０３から電圧が印加されると、表示媒体２１において第１の光強度の光が照射された領域Ａ２３は、表示層に分圧される電圧が図３のＶ２となる。そして、この領域Ａ２３においては、表示層２０４Ｒのコレステリック液晶は、図８に示したように配向状態がホメオトロピック相に遷移し、表示層２０４Ｇのコレステリック液晶の配向状態はフォーカルコニック相を維持する。なお、光が照射されていない他の領域においては、表示層に分圧される電圧はＶ１のままである。次に電圧印加部１０３が制御部１０１により制御されて導電層２０２Ａ、２０２Ｂへの電圧印加が停止される。また光出力部１０２が制御部１０１により制御されて表示媒体２１への光の照射が停止される。電圧の印加が停止されると、コレステリック液晶のホメオトロピック相の部分がプレーナ相となる。
【００４７】
なお、第２ステップにおいて電圧印加部１０３からの電圧の印加時間は、コレステリック液晶の配向状態をプレーナ相からフォーカルコニック相へ遷移させるのに必要な時間に達していない。このため、表示層２０４Ｒ全体と表示層２０４Ｇ全体に分圧される実効電圧をＶ１にする電圧が表示層全体に印加されても、表示媒体２１において電圧印加前に光が照射されてなくコレステリック液晶の配向状態がプレーナ相であった領域は、コレステリック液晶の配向状態がフォーカルコニック相に遷移することがない。
【００４８】
次に第３ステップでは、制御部１０１は、領域Ａ２１〜領域Ａ２４に光が照射されないように光出力部１０２を制御する。次に、電圧印加部１０３が制御部１０１により制御され、表示層２０４Ｒ全体と表示層２０４Ｇ全体に分圧される実効電圧をＶａにする電圧が端子２０３Ａ、２０３Ｂへ印加される。電圧印加部１０３から電圧が印加されると、表示媒体２１において光が照射されていない領域Ａ２１〜領域Ａ２４は、表示層に分圧される電圧がＶａのままとなり、図８に示したように、コレステリック液晶の配向状態は、電圧印加前のプレーナ相またはフォーカルコニック相の状態を維持する。
【００４９】
第３ステップが終了すると、領域Ａ２１では、各表示層のコレステリック液晶の配向状態が最終的にフォーカルコニック相にされ、使用者に黒色として視認される。また、領域Ａ２２では、表示層２０４Ｒと表示層２０４Ｇのコレステリック液晶の配向状態がプレーナ相のまま維持されるため、使用者に黄色として視認される。また、領域Ａ２３では、表示層２０４Ｒのコレステリック液晶が最終的にプレーナ相にされ、表示層２０４Ｇのコレステリック液晶が最終的にフォーカルコニック相されるため、使用者に赤色として視認される。また、領域Ａ２４では、表示層２０４Ｇのコレステリック液晶がプレーナ相を維持し、表示層２０４Ｒのコレステリック液晶の配向状態が最終的にフォーカルコニック相にされるため、使用者に緑色として視認される。
【００５０】
（赤色の領域へ画像を追記する場合の動作）
図６（ｃ）に示したように、赤色の領域Ａ３に黒色の領域Ａ３１、黄色の領域Ａ３２、緑色の領域Ａ３４を追記する場合について説明する。なお、図９は、赤色の領域へ画像を追記する際の３つのステップにおいて表示層の領域Ａ３１〜Ａ３４の部分に分圧される電圧と各ステップにおけるコレステリック液晶の配向状態を示した図である。まず、第１ステップでは、電圧印加部１０３が制御部１０１により制御され、表示層２０４Ｒ全体と表示層２０４Ｇ全体に分圧される実効電圧をＶａとする電圧が端子２０３Ａ、２０３Ｂへ印加される。次に、制御部１０１により光出力部１０２が制御されて領域Ａ３１、領域Ａ３２および領域Ａ３４に第１の光強度の光が照射される。なお、領域Ａ３３については光が照射されない。
【００５１】
ここで、領域Ａ３３については、表示層に分圧される電圧はＶａのままである。このため領域Ａ３３においては、各表示層のコレステリック液晶の配向状態は図９に示したように、電圧が印加される前の配向状態を維持する。また、領域Ａ３１、領域Ａ３２および領域Ａ３４については、表示層に分圧される電圧がＶｂとなり、表示層２０４Ｒのコレステリック液晶の配向状態がプレーナ相からフォーカルコニック相に遷移する。なお、領域Ａ３１、領域Ａ３２および領域Ａ３４においては、表示層に分圧される電圧がＶｂとなるため、表示層２０４Ｇのコレステリック液晶の配向状態に変化がなくフォーカルコニック相のままである。次に、電圧印加部１０３が制御部１０１により制御され、電圧の印加が停止される。また、光出力部１０２が制御部１０１により制御され、表示媒体２１への光の照射が停止される。
【００５２】
次に第２ステップでは、制御部１０１により光出力部１０２が制御され、領域Ａ３２と領域Ａ３４に第２の光強度の光が照射される。なお、制御部１０１は、領域Ａ３１と領域Ａ３３には光が照射されないように光出力部１０２を制御する。次に電圧印加部１０３が制御部１０１により制御され、表示層２０４Ｒ全体と表示層２０４Ｇ全体に分圧される実効電圧を図３のＶ１にする電圧が端子２０３Ａ、２０３Ｂへ印加される。ここで、電圧の印加時間は、第１時間より短く第２時間より長い時間にされる。
【００５３】
電圧印加部１０３から電圧が印加されると、表示媒体２１において第２の光強度の光が照射された領域Ａ３２と領域Ａ３４は、表示層に分圧される電圧が図３のＶ３となる。そして、この領域Ａ３２と領域Ａ３４においては、表示層２０４Ｇと表示層２０４Ｒのコレステリック液晶の配向状態はホメオトロピック相に遷移する。なお、光が照射されていない他の領域においては、表示層に分圧される電圧はＶ１のままである。このため、領域Ａ３１と領域Ａ３３においては、各表示層のコレステリック液晶の配向状態は電圧印加前の配向状態を維持する。次に電圧印加部１０３が制御部１０１により制御されて導電層２０２Ａ、２０２Ｂへの電圧の印加が停止される。また光出力部１０２が制御部１０１により制御されて表示媒体２１への光の照射が停止される。これにより、コレステリック液晶のホメオトロピック相の部分がプレーナ相となる。
【００５４】
なお、第２ステップにおいて電圧印加部１０３からの電圧の印加時間は、コレステリック液晶の配向状態をプレーナ相からフォーカルコニック相へ遷移させるのに必要な時間に達していない。このため、表示層２０４Ｒ全体と表示層２０４Ｇ全体に分圧される実効電圧をＶ１にする電圧が表示層全体に印加されても、表示媒体２１において電圧印加前に光が照射されてなくコレステリック液晶の配向状態がプレーナ相であった領域は、コレステリック液晶の配向状態がフォーカルコニック相に遷移することがない。
【００５５】
次に第３ステップでは、光出力部１０２が制御部１０１により制御され、領域Ａ３４に第１の光強度の光が照射される。なお、制御部１０１は、領域Ａ３１、領域Ａ３２および領域Ａ３３に光が照射されないように光出力部１０２を制御する。次に、電圧印加部１０３が制御部１０１により制御され、表示層２０４Ｒ全体と表示層２０４Ｇ全体に分圧される実効電圧をＶａにする電圧が端子２０３Ａ、２０３Ｂへ印加される。電圧印加部１０３から電圧が印加されると、表示媒体２１において光が照射されていない領域Ａ３１、領域Ａ３２および領域Ａ３３は、表示層に分圧される電圧がＶａのままとなり、図９に示したように、コレステリック液晶の配向状態は、電圧印加前のプレーナ相またはフォーカルコニック相の状態を維持する。また、領域Ａ３４においては、表示層に分圧される電圧がＶｂとなり、図９に示したように、表示層２０４Ｒのコレステリック液晶の配向状態がフォーカルコニック相に遷移する。次に電圧印加部１０３が制御部１０１により制御されて導電層２０２Ａ、２０２Ｂへの電圧印加が停止される。また光出力部１０２が制御部１０１により制御されて表示媒体２１への光の照射が停止される。
【００５６】
第３ステップが終了すると、領域Ａ３１では、各表示層のコレステリック液晶の配向状態が最終的にフォーカルコニック相にされ、使用者に黒色として視認される。また、領域Ａ３２では、表示層２０４Ｒと表示層２０４Ｇのコレステリック液晶の配向状態が最終的にプレーナ相にされるため、使用者に黄色として視認される。また、領域Ａ３３では、表示層２０４Ｒのコレステリック液晶の配向状態がプレーナ相のまま維持され、表示層２０４Ｇのコレステリック液晶の配向状態がフォーカルコニック相のまま維持されるため使用者に赤色として視認される。また、領域Ａ３４では、表示層２０４Ｇのコレステリック液晶が最終的にフォーカルコニック相にされ、表示層２０４Ｒのコレステリック液晶の配向状態が最終的にプレーナ相にされるため、使用者に緑色として視認される。
【００５７】
（緑色の領域へ画像を追記する場合の追記）
図６（ｄ）に示したように、緑色の領域Ａ４に黒色の領域Ａ４１、黄色の領域Ａ４２および赤色の領域Ａ４３を追記する場合について説明する。なお、図１０は、緑色の領域へ画像を追記する際の３つのステップにおいて表示層の領域Ａ４１〜Ａ４４の部分に分圧される電圧と各ステップにおけるコレステリック液晶の配向状態を示した図である。まず、第１ステップでは、電圧印加部１０３が制御部１０１により制御され、表示層２０４Ｒ全体と表示層２０４Ｇ全体に分圧される実効電圧をＶａとする電圧が端子２０３Ａ、２０３Ｂへ印加される。次に、制御部１０１により光出力部１０２が制御されて領域Ａ４１〜領域Ａ４３に第２の光強度の光が照射される。なお、領域Ａ４４については光が照射されない。
【００５８】
ここで、領域Ａ４４については、表示層に分圧される電圧はＶａのままである。このため領域Ａ４４においては、各表示層のコレステリック液晶の配向状態は図１０に示したように、電圧が印加される前の状態を維持する。また、領域Ａ４１〜領域Ａ４３については、表示層に分圧される電圧がＶｃとなり、表示層２０４Ｒと表示層２０４Ｇのコレステリック液晶の配向状態がフォーカルコニック相になる。次に、電圧印加部１０３が制御部１０１により制御され、電圧の印加が停止される。また、光出力部１０２が制御部１０１により制御され、表示媒体２１への光の照射が停止される。
【００５９】
次に第２ステップでは、制御部１０１により光出力部１０２が制御され、領域Ａ４３に第１の光強度の光が照射される。また、制御部１０１により光出力部１０２が制御され、領域Ａ４２に第２の光強度の光が照射される。なお、制御部１０１は、領域Ａ４１および領域Ａ４４には光が照射されないように光出力部１０２を制御する。次に電圧印加部１０３が制御部１０１により制御され、表示層２０４Ｒ全体と表示層２０４Ｇ全体に分圧される実効電圧を図３のＶ１にする電圧が端子２０３Ａ、２０３Ｂへ印加される。ここで、電圧の印加時間は、第１時間より短く第２時間より長い時間にされる。
【００６０】
電圧印加部１０３から電圧が印加されると、表示媒体２１において第１の光強度の光が照射された領域Ａ４３は、表示層に分圧される電圧が図３のＶ２となる。そして、この領域Ａ４３においては、表示層２０４Ｒのコレステリック液晶は、図１０に示したように配向状態がホメオトロピック相に遷移し、表示層２０４Ｇのコレステリック液晶の配向状態はフォーカルコニック相を維持する。また、表示媒体２１において第２の光強度の光が照射された領域Ａ４２は、表示層に分圧される電圧が図３のＶ３となる。そして、この領域Ａ４２においては、表示層２０４Ｒと表示層２０４Ｇのコレステリック液晶は、図１０に示したように配向状態がホメオトロピック相に遷移する。なお、光が照射されていない領域Ａ４１および領域Ａ４４においては、表示層に分圧される電圧はＶ１のままである。このため、領域Ａ４１および領域Ａ４４においては各表示層のコレステリック液晶は、電圧印加前の配向状態を維持する。次に電圧印加部１０３が制御部１０１により制御されて導電層２０２Ａ、２０２Ｂへの電圧の印加が停止される。また光出力部１０２が制御部１０１により制御されて表示媒体２１への光の照射が停止される。これにより、コレステリック液晶のホメオトロピック相の部分がプレーナ相となる。
【００６１】
なお、第２ステップにおいて電圧印加部１０３からの電圧の印加時間は、コレステリック液晶の配向状態をプレーナ相からフォーカルコニック相へ遷移させるのに必要な時間に達していない。このため、表示層２０４Ｒ全体と表示層２０４Ｇ全体に分圧される実効電圧をＶ１にする電圧が表示層全体に印加されても、表示媒体２１において電圧印加前に光が照射されてなくコレステリック液晶の配向状態がプレーナ相であった領域は、コレステリック液晶の配向状態がフォーカルコニック相に遷移することがない。
【００６２】
次に第３ステップでは、制御部１０１は、領域Ａ４１〜領域Ａ４４に光が照射されないように光出力部１０２を制御する。次に、電圧印加部１０３が制御部１０１により制御され、表示層２０４Ｒ全体と表示層２０４Ｇ全体に分圧される実効電圧をＶａにする電圧が端子２０３Ａ、２０３Ｂへ印加される。電圧印加部１０３から電圧が印加されると、表示媒体２１において光が照射されていない領域Ａ４１〜領域Ａ４４は、表示層に分圧される電圧がＶａのままとなり、図１０に示したように、コレステリック液晶の配向状態は、電圧印加前のプレーナ相またはフォーカルコニック相の状態を維持する。次に電圧印加部１０３が制御部１０１により制御されて導電層２０２Ａ、２０２Ｂへの電圧印加が停止される。また光出力部１０２が制御部１０１により制御されて表示媒体２１への光の照射が停止される。
【００６３】
第３ステップが終了すると、領域Ａ４１では、各表示層のコレステリック液晶の配向状態が最終的にフォーカルコニック相にされ、使用者に黒色として視認される。また、領域Ａ４２では、表示層２０４Ｒと表示層２０４Ｇのコレステリック液晶の配向状態が最終的にプレーナ相にされるため、使用者に黄色として視認される。また、領域Ａ４３では、表示層２０４Ｒのコレステリック液晶が最終的にプレーナ相にされ、表示層２０４Ｇのコレステリック液晶が最終的にフォーカルコニック相されるため、使用者に赤色として視認される。また、領域Ａ４４では、表示層２０４Ｇのコレステリック液晶がプレーナ相を維持し、表示層２０４Ｒのコレステリック液晶の配向状態がフォーカルコニック相を維持するため、使用者に緑色として視認される。
【００６４】
表示層のコレステリック液晶について部分的にプレーナ相にすることにより画像を追記する場合、プレーナ相からフォーカルコニック相に変化させるのに要する時間より長い時間でコレステリック液晶に下側電圧と上側電圧との間の電圧が印加されると、プレーナ相にする部分以外がフォーカルコニック相に変化してしまう。これにより、画像が追記される部分以外については追記前の画像を維持しつつ、画像が追記される部分については、液晶の状態を透過状態から反射状態に変更して画像を追記するということができない。
一方、以上説明したように、本実施形態によれば、表示層のコレステリック液晶について部分的にプレーナ相にする場合には、プレーナ相からフォーカルコニック相に変化させるのに要する時間より短い時間でコレステリック液晶に電圧が印加される。このため、コレステリック液晶の配向状態をフォーカルコニック相にする電圧が印加されても、表示層全面をフォーカルコニック相にすることなく、部分的にコレステリック液晶の配向状態を変更して画像を追記することができる。
つまり、コレステリック液晶による光の反射および透過により画像を表示する表示媒体に対して画像を追記する際、画像が追記される部分以外については追記前の画像を維持しつつ、画像が追記される部分については、液晶の状態を透過状態から反射状態に変更して画像を追記することができる。
【００６５】
［変形例］
以上、本発明の実施形態について説明したが、本発明は上述した実施形態に限定されることなく、他の様々な形態で実施可能である。例えば、上述の実施形態を以下のように変形して本発明を実施してもよい。なお、上述した実施形態及び以下の変形例は、各々を組み合わせてもよい。
【００６６】
上述した実施形態においては、表示媒体２１は、表示層２０４Ｒと表示層２０４Ｇの２つの表示層を有する構成となっているが、表示媒体２１は、表示層が一つの構成であってもよい。表示層が一つの構成の一例として、例えば表示媒体２１が表示層２０４Ｇのみを有する構成がある。この構成において部分的にコレステリック液晶の配向状態をプレーナ相にする場合には、書込装置１は、表示層２０４Ｇ全体に分圧される実効電圧をＶ２とする電圧を導電層に印加しつつ、プレーナ相にする部分にかかる電圧がＶ３となるように光出力部１０２から感光層へ光を照射する。なお、電圧印加部１０３からの電圧の印加時間は、第１時間より短く、第２時間より長い時間にされる。なお、表示層が一つの構成としては、表示層２０４Ｒのみを有する構成であってもよい。また、表示層が一つの構成においては、表示層が反射する光の波長は、表示層２０４Ｒ、２０４Ｇが反射する光とは異なる波長の光であってもよい。
【００６７】
上述した実施形態では、表示媒体２１は、表示層２０４Ｒと表示層２０４Ｇの２つの表示層を有する構成となっているが、表示媒体２１は、３つの表示層を有する構成であってもよい。図１１は、３つの表示層を有する表示媒体２１の断面の模式図である。基板層２０１Ａ，２０１Ｂ，２０１Ｃは、画像を表示する部分の保護や形状の保持を行う層である。各基板層は、上述した実施形態の基板層と同じ素材で形成されている。また、本変形例においては、基板層２０１Ａ、２０１Ｃは表示装置２の表面に露出している。また、基板層２０１Ｂは、導電層２０２Ｂと導電層２０２Ｃとの間を絶縁する役割を果たしている。
【００６８】
導電層２０２Ａ，２０２Ｂ，２０２Ｃ，２０２Ｄは、透明で光を透過し、且つ導電性を有する層である。導電層２０２Ａは、基板層２０１Ａの被照射側に接している。また、導電層２０２Ｂは基板層２０１Ｂの表示面側に接している。また、導電層２０２Ｃは、基板層２０１Ｂの被照射側に接しており、導電層２０２Ｄは基板層２０１Ｃの表示面側に接している。また、導電層２０２Ａには端子２０３Ａが接続され、導電層２０２Ｂには端子２０３Ｂが接続されている。また、導電層２０２Ｃには端子２０３Ｃが接続され、導電層２０２Ｄには端子２０３Ｄが接続されている。端子２０３Ａ〜２０３Ｄは、書込装置１から電圧が印加される端子であり、表示装置２の表面に露出するように配置されている。
【００６９】
表示層２０４Ｂ、２０４Ｇ、２０４Ｒは、コレステリック液晶や光を透過する樹脂など複数の材料からなる層であり、樹脂の中にコレステリック液晶が分散した構成となっている。表示層２０４Ｂは、導電層２０２Ａの被照射側に接している。また、表示層２０４Ｇは、表示層２０４Ｂの被照射側に接している。また、表示層２０４Ｒは、導電層２０２Ｃの被照射側に接している。なお、本変形例においては、表示層２０４Ｒと表示層２０４Ｇは、上述した実施形態と同じ構成である。また、表示層２０４Ｂのコレステリック液晶は青の光（波長が４００ｎｍ〜５００ｎｍの範囲内の光）を反射する。
【００７０】
感光層２０５Ｒ、２０５ＢＧは、上述した実施形態の感光層２０５と同じく電荷発生層２０５１，２０５３と電荷輸送層２０５２を有し、電荷発生層２０５１、電荷輸送層２０５２、電荷発生層２０５３の順で積層された構造となっている。感光層２０５Ｒは、導電層２０２Ｂの表示面側に接している。また、感光層２０５ＢＧは、導電層２０２Ｄの表示面側に接している。
【００７１】
着色層２０６Ｒは、感光層２０５Ｒの電荷発生層が吸収する光の波長と同じ波長の光を吸収する層である。着色層２０６Ｒは、無機顔料、または有機染料や有機顔料により、表示層２０４Ｂ、２０４Ｇが反射する光の補色に着色されている。着色層２０６Ｒは、感光層２０５Ｒの表示面側に接している。また、着色層２０６ＢＧは、感光層２０５ＢＧの電荷発生層が吸収する光の波長と同じ波長の光を吸収する層であり、無機顔料、または有機染料や有機顔料により、表示層２０４Ｒが反射する光の補色に着色されている。着色層２０６ＢＧは、感光層２０５ＢＧの表示面側に接している。
【００７２】
ラミネート層２０７は、上述した実施形態のラミネート層２０７と同じ素材で形成されている。本変形例においては、ラミネート層２０７は、着色層２０６Ｒと表示層２０４Ｇの間と、着色層２０６ＢＧと表示層２０４Ｒの間にある。
【００７３】
図１２（ａ）と図１２（ｂ）は、導電層と感光層を介して表示層全体に印加される電圧と表示層における光の正規化反射率との関係を示した図である。図１２（ａ）の曲線Ｒは、印加される電圧と表示層２０４Ｒにおける光の正規化反射率との関係を示したものである。また、図１２（ｂ）の曲線Ｇは、印加される電圧と表示層２０４Ｇにおける光の正規化反射率との関係を示したものであり、図１２（ｂ）の曲線Ｂは、印加される電圧と表示層２０４Ｂにおける光の正規化反射率との関係を示したものである。
【００７４】
表示層２０４Ｂにおいてプレーナ相からフォーカルコニック相へ変化する時の閾値の電圧をＶｂ１、フォーカルコニック相からホメオトロピック相へ変化する時の閾値の電圧をＶｂ２とすると、電圧の印加が停止される前に導電層と感光層とを介して印加されている電圧がＶｂ２以上の場合、電圧の印加が停止された後にコレステリック液晶はプレーナ相となって外光中の青色の光を反射する。一方、電圧の印加が停止される前に導電層と感光層とを介して印加されている電圧がＶｂ１とＶｂ２の間の電圧である場合には、電圧の印加が停止された後にコレステリック液晶はフォーカルコニック相となって外光が透過する。
【００７５】
図１１の構成においては、実施形態と比較して導電層２０２Ａと導電層２０２Ｂの間にあるのが表示層２０４Ｒに替えて表示層２０４Ｂとなっているが、表示層２０４Ｇと表示層２０４Ｂについては、上述した実施形態と同様に電圧印加部１０３と光出力部１０２の制御を行えば、各表示層のコレステリック液晶の配向状態を部分的にフォーカルコニック相からプレーナ相に変更することができる。また、表示層２０４Ｒについては、上述した表示層が一層の時の場合と同様にして電圧印加部１０３と光出力部１０２の制御を行えば、表示層２０４Ｒのコレステリック液晶の配向状態を部分的にフォーカルコニック相からプレーナ相に変更することができる。本変形例においては、３種類の光を反射することが可能となるため、反射する光の組み合わせを制御することにより、赤、青、緑、黄色、シアン、マゼンタ、白、黒の８色で画像を表示することができる。
【００７６】
上述した実施形態においては導電層２０２Ａと導電層２０２Ｂの間に２つの表示層が位置しているが、導電層２０２Ａと導電層２０２Ｂの間に上述した表示層２０４Ｒ、２０４Ｇ、２０４Ｂを配置する構成としてもよい。なお、この構成の場合、表示層全体に印加される電圧と、表示層における光の正規化反射率との関係を図１３に示した関係としてもよい。そして、部分的にコレステリック液晶の配向状態をプレーナ相にする場合には、書込装置１は、表示層全体に分圧される実効電圧をＶｇ１とＶｂ２との間の電圧にするバイアス電圧を導電層に印加しつつ、光出力部１０２を制御して表示層に掛かる実効電圧を制御し、部分的にプレーナ相にする位置を制御してもよい。なお、本変形例においても、部分的にコレステリック液晶の配向状態をプレーナ相にする場合には、電圧印加部１０３からの電圧の印加時間は、第１時間より短く、第２時間より長い時間にされる。
なお、本変形例においては、下側電圧が一番低い表示層２０４Ｂが第１表示層、下側電圧が二番目に低い表示層２０４Ｒが第２表示層、下側電圧が一番高い表示層２０４Ｇが第３表示層となる。なお、本明細書においては、第３表示層の下側電圧を第５電圧と称し、第３表示層の上側電圧を第６電圧と称する。
【００７７】
書込装置１において表示媒体２１の被照射側に光を照射するのは、液晶ディスプレイに限定されるものではない。発光ダイオードを面状に並べ、位置信号に応じて発光ダイオードを点灯させて被照射側に光を照射してもよい。また、液晶ディスプレイに替えて、有機ＥＬ（electroluminescence）ディスプレイなどの電圧をかけると発光する物質を利用したディスプレイ装置であってもよい。また、液晶ディスプレイであっても、光源のバックライトとして赤、緑、青の三色の光を切り替えられるバックライトを有し、画素が光を透過するか否かのモノクロのタイプの液晶ディスプレイであってもよい。また、面発光型のディスプレイ装置（たとえばＣＲＴ（Cathode Ray Tube）、ＰＤＰ（Plasma Display Panel）、ＦＥＤ（Field Emission Display）、ＳＥＤ（Surface-conduction Electron-emitter Display））などで表示媒体２１に光を照射してもよい。
【符号の説明】
【００７８】
１・・・書込装置、２・・・表示装置、２１・・・表示媒体、１０１・・・制御部、１０２・・・光出力部、１０３・・・電圧印加部、１０５・・・インターフェース部、１０６・・・操作部、２０１Ａ〜２０１Ｃ・・・基板層、２０２Ａ〜２０２Ｄ・・・導電層、２０３Ａ〜２０３Ｄ・・・端子、２０４Ｂ、２０４Ｇ、２０４Ｒ・・・表示層、２０５、２０５ＢＧ、２０５Ｒ・・・感光層、２０６、２０６ＢＧ、２０６Ｒ・・・着色層、２０７・・・ラミネート層
【図１】
2011128275.tif 000003
【図２】
2011128275.tif 000004
【図３】
2011128275.tif 000005
【図４】
2011128275.tif 000006
【図５】
2011128275.tif 000007
【図６】
2011128275.tif 000008
【図７】
2011128275.tif 000009
【図８】
2011128275.tif 000010
【図９】
2011128275.tif 000011
【図１０】
2011128275.tif 000012
【図１１】
2011128275.tif 000013
【図１２】
2011128275.tif 000014
【図１３】
2011128275.tif 000015